(57)【要約】【課題】インターネット上のサービスサイトにおいて、Ｃｏｏｋｉｅを使わずに簡単に紹介者を特定できる仕組みを提供する。【解決手段】被紹介者の端末と、被紹介者の端末とネットワークを介して接続された、紹介者と紹介者から紹介された被紹介者の情報とを関連づける管理サーバとを含む紹介管理システムであって、管理サーバは、紹介者からの紹介によって、所定のＷｅｂサイトにアクセスした被紹介者の端末に対して、アクセス取得用のデータを送信するアクセス情報送信部と、被紹介者の端末がアクセス取得用のデータを取得する際に、被紹介者の端末のＩＰアドレスを取得する取得部と、取得部によりにより取得された被紹介者の端末のＩＰアドレスと、前記紹介した紹介者の情報とを関連付けた管理リストを記憶部に保存する登録部と、を備える。【選択図】図１
2018190387.tif 000002
【特許請求の範囲】
【請求項１】
被紹介者の端末と、前記被紹介者の端末とネットワークを介して接続された、紹介者と紹介者から紹介された被紹介者の情報とを関連づける管理サーバとを含む紹介管理システムであって、
前記管理サーバは、
紹介者からの紹介によって、所定のＷｅｂサイトにアクセスした被紹介者の端末に対して、アクセス取得用のデータを送信するアクセス情報送信部と、
前記被紹介者の端末がアクセス取得用のデータを取得する際に、前記被紹介者の端末のＩＰアドレスを取得する取得部と、
前記取得部により取得された被紹介者の端末のＩＰアドレスと、前記紹介した紹介者の情報とを関連付けて記憶部に保存する登録部と、
を備えることを特徴とする紹介管理システム。
【請求項２】
前記被紹介者を紹介した紹介者に対して与える所定の報酬の情報を通知する報酬処理部、
をさらに備えることを特徴とする請求項１に記載の紹介管理システム。
【請求項３】
前記アクセス取得用のデータは、画像データ、または動画データであること、
を特徴とする請求項１又は２に記載の紹介管理システム。
【請求項４】
前記取得部は、前記紹介者と所定の関係を有するグループに登録されているユーザに対して、所定の紹介メッセージを送信するメッセージ送信部、
をさらに備えることを特徴とする請求項１〜３のいずれか１つに記載の紹介管理システム。
【請求項５】
前記紹介管理システムは、前記ネットワークを介して接続された広告情報を管理する広告サーバと、前記被紹介者の端末と前記管理サーバと前記広告サーバとにおいて所定の情報を共有させるＳＮＳ（Ｓｏｃｉａｌ  Ｎｅｔｗｏｒｋｉｎｇ  Ｓｅｒｖｉｃｅ）サーバをさらに含み、
前記管理サーバは、
前記取得部により、前記被紹介者の端末から取得したＩＰアドレスを前記広告サーバに送信するＩＰアドレス送信部、
をさらに備え、
前記広告サーバは、
前記ＳＮＳサーバ上における情報共有の相手方端末のＩＰアドレスが登録された友達登録情報を記憶する記憶部と、
前記管理サーバから、前記被紹介者の端末のＩＰアドレスを受信する受信部と、
前記受信部により前記被紹介者の端末のＩＰアドレスを受信した場合に、当該ＩＰアドレスを追加して前記友達登録情報を更新する更新部と、
前記更新部により更新された友達登録情報を前記ＳＮＳサーバに送信する送信部と、
を備えることを特徴とする請求項１〜４のいずれか１つに記載の紹介管理システム。
【請求項６】
前記管理サーバは、
前記ＳＮＳサーバを介して、前記被紹介者の端末から前記被紹介者の端末のＩＰアドレスを含むＳＮＳサーバ上における前記友達登録の完了通知を受信する通知受信部、をさらに備え、
前記アクセス情報送信部は、前記ＳＮＳサーバから前記被紹介者の端末における前記友達登録の完了通知を受信した場合に、前記アクセス取得用のデータを前記被紹介者の端末に送信すること、
を特徴とする請求項５に記載の紹介管理システム。
【請求項７】
前記管理サーバの記憶部は、前記被紹介者の端末のＩＰアドレスと、前記広告サーバの識別情報と、前記広告サーバにより管理されるアフィリエイトリンクとを対応付けた管理リストを記憶し、
前記管理サーバの取得部は、前記被紹介者の端末が前記アフィリエイトリンクにアクセスした場合に、前記被紹介者の端末から前記被紹介者の端末のＩＰアドレスを取得し、前記アフィリエイトリンクに対応付けられている広告サーバの識別情報を前記管理リストから取得し、
前記前記ＩＰアドレス送信部は、前記取得部により取得された前記被紹介者の端末のＩＰアドレスを、前記取得部により取得された前記広告サーバの識別情報により識別される広告サーバに送信すること、
を特徴とする請求項５または６に記載の紹介管理システム。
【請求項８】
前記管理サーバの取得部は、前記被紹介者のＰＣ（Ｐｅｒｓｏｎａｌ  Ｃｏｍｐｕｔｅｒ）端末により所定のＷｅｂサイトにアクセスされた場合に、前記被紹介者のＰＣ端末のＩＰアドレスを取得し、
前記管理サーバのＩＰアドレス送信部は、前記取得部により取得された被紹介者のＰＣ端末のＩＰアドレスを前記広告サーバに送信し、
前記広告サーバの受信部は、前記管理サーバから、前記被紹介者のＰＣ端末のＩＰアドレスを受信し、
前記広告サーバの更新部は、前記受信部により前記被紹介者のＰＣ端末のＩＰアドレスを受信した場合に、当該ＩＰアドレスを追加して前記友達登録情報を更新すること、
を特徴とする請求項５〜７のいずれか１つに記載の紹介管理システム。
【請求項９】
前記ＳＮＳサーバの送信部は、前記被紹介者のＰＣ端末に、前記被紹介者のモバイル端末用の前記友達登録の招待を示す画面情報を送信し、
前記管理サーバの通知受信部は、前記被紹介者のモバイル端末から前記ＳＮＳサーバ上における前記友達登録の完了通知を受信し、
前記管理サーバのアクセス情報送信部は、前記ＳＮＳサーバから前記被紹介者のモバイル端末における前記友達登録の完了通知を受信した場合に、前記アクセス取得用のデータを前記被紹介者の端末に送信すること、
を特徴とする請求項５〜８のいずれか１つに記載の紹介管理システム。
【請求項１０】
前記管理サーバは、
前記ＳＮＳサーバから前記友達登録の完了通知を受信した場合に、前記友達登録の完了通知に含まれるＩＰアドレスを、前記管理リストに登録されているＩＰアドレスと照合する照合部、
をさらに備え、
前記アクセス情報送信部は、前記照合部により前記友達登録の完了通知に含まれるＩＰアドレスが、前記管理リストに登録されているＩＰアドレスと照合された場合に、前記アクセス取得用のデータを前記被紹介者の端末に送信すること、
を特徴とする請求項６または９に記載の紹介管理システム。
【請求項１１】
前記管理サーバは、
前記管理サーバの記憶部は、広告対象となる案件の情報と前記広告サーバの識別情報とを含むアフィリエイトリンクと、前記被紹介者の端末のＩＰアドレスと、前記紹介者の情報と、前記紹介者から前記被紹介者への前記案件の紹介の成否を示す成約情報とを対応付けた管理リスト情報を記憶し、
前記登録部は、前記照合部により前記友達登録の完了通知に含まれるＩＰアドレスが、前記管理リストに登録されているＩＰアドレスと照合された場合に、前記管理リスト情報を前記案件の紹介の成立を示す成約情報に更新すること、
を特徴とする請求項１０に記載の紹介管理システム。
【請求項１２】
被紹介者の端末と、前記被紹介者の端末とネットワークを介して接続された、紹介者と紹介者から紹介された被紹介者の情報とを関連づける管理サーバであって、
紹介者からの紹介によって、所定のＷｅｂサイトにアクセスした被紹介者の端末に対して、アクセス取得用のデータを送信するアクセス情報送信部と、
前記被紹介者の端末がアクセス取得用のデータを取得する際に、前記被紹介者の端末のＩＰアドレスを取得する取得部と、
前記取得部により取得された被紹介者の端末のＩＰアドレスと、前記紹介した紹介者の情報とを関連付けた管理リストを記憶部に保存する登録部と、
を備えることを特徴とする管理サーバ。
【請求項１３】
被紹介者の端末と、前記被紹介者の端末とネットワークを介して接続された、紹介者と紹介者から紹介された被紹介者の情報とを関連づける管理サーバにおける紹介者情報管理方法であって、
紹介者からの紹介によって、所定のＷｅｂサイトにアクセスした被紹介者の端末に対して、アクセス取得用のデータを送信するアクセス情報送信ステップと、
前記被紹介者の端末がアクセス取得用のデータを取得する際に、前記被紹介者の端末のＩＰアドレスを取得する取得ステップと、
前記取得ステップにより取得された被紹介者の端末のＩＰアドレスと、前記紹介した紹介者の情報とを関連付けた管理リストを記憶部に保存する登録ステップと、
を備えることを特徴とする紹介者情報処理方法。
【請求項１４】
被紹介者の端末と、前記被紹介者の端末とネットワークを介して接続された、紹介者と紹介者から紹介された被紹介者の情報とを関連づける管理サーバにおいて実行される紹介者除法管理プログラムであって、
紹介者からの紹介によって、所定のＷｅｂサイトにアクセスした被紹介者の端末に対して、アクセス取得用のデータを送信するアクセス情報送信機能と、
前記被紹介者の端末がアクセス取得用のデータを取得する際に、前記被紹介者の端末のＩＰアドレスを取得する取得機能と、
前記取得機能により取得された被紹介者の端末のＩＰアドレスと、前記紹介した紹介者の情報とを関連付けた管理リストを記憶部に保存する登録機能と、
を実現させることを特徴とする紹介者情報管理プログラム。
【発明の詳細な説明】
【技術分野】
【０００１】
本発明は、インターネット上で紹介を行ったユーザと紹介されたユーザとを関連付けするための仕組みであって、特に、Ｗｅｂサイトで成功報酬型広告（アフィリエイト）を行うために好適な仕組みに関する。
【背景技術】
【０００２】
（実施形態１）
インターネット上では、Ｗｅｂサイトに様々な広告がされており、ある広告媒体としてのＷｅｂサイト（以下、「広告サイト」という。）に設置された広告によって、そのＷｅｂサイトの閲覧者が広告主の商品あるいはサービス等の提供サイト（以下、「提供サイト」という。）から商品等を購入し、生じた利益に応じて広告媒体に成功報酬を与える、いわゆるアフィリエイトが行われている。
このようなアフィリエイトを行うためには、たとえば、広告サイトの広告バナーなどをクリックした閲覧者（被紹介者）のコンピュータにＣｏｏｋｉｅを記憶させておき、閲覧者が提供サイトにアクセスした際に、閲覧者のコンピュータに記録されているＣｏｏｋｉｅを取得することにより、その閲覧者がどの広告サイトから提供サイトに来たかを判別し、その広告の利益に応じて広告サイトの運営者に利益を分配することが行われている。
【０００３】
このような例としては、特許文献１では、システム管理サーバを備えた会員制ポイト分配システムであって、電子商取引サイトの商品に関するページへ誘導する第１リンク情報を会員ユーザは自分のブログ等に貼付でき、このブログ等へ誘導する第２リンク情報を別の会員ユーザは自分のブログ等に貼付できる。システム管理サーバは、それぞれのリンクを識別する第１リンクＩＤと第２リンクＩＤとを対応づけて記憶手段に登録している。第２リンク情報を貼付したブログおよび第１リンク情報を貼付したブログ等を経て商品が購入された場合、システム管理サーバは前記記憶手段を参照することにより第１リンク情報を貼付した会員ユーザとともに、第２リンク情報を貼付した会員ユーザをもトラッキングしてポイントを付与できる仕組みが開示されている。
特許文献２では、広告システムは、プラットフォームサーバと、広告サーバとを備える。広告サーバは、広告主が提供するアプリケーションをダウンロードした携帯端末装置から、プラットフォームサーバが提供する広告プラットフォームを経由したことを示す経由情報を受信する。プラットフォームサーバは、アプリケーションをダウンロードした携帯端末装置に対して、当該アプリケーションに対応付けられた電子クーポン情報を送信する仕組みが開示されている。
【０００４】
【特許文献１】特開２０１２―２１６０１３号公報
【特許文献２】特開２０１６―１２２４３２号公報
【発明の開示】
【発明が解決しようとする課題】
【０００５】
しかし、従来の閲覧者のコンピュータにＣｏｏｋｉｅを渡す仕組みでは、このＣｏｏｋｉｅが使えない場合には、誰が紹介者なのか管理できないといった問題があった。
特に、サービスを提供しているLine（登録商標）などのサーバ（ソーシャルネットワーキング（以下、「ＳＮＳ」という）サーバ）と、アフィリエイトプログラムを管理しているサーバ（アフィリエイトサーバ）が別の場合には、ＳＮＳサーバ上で紹介が行われても、ＳＮＳサーバがＣｏｏｋｉｅを発行していないため、従来のようなＣｏｏｋｉｅを使って紹介者を特定することができなった。
【０００６】
本発明は、上述の課題を解決するためになされたものであって、インターネット上のサービスサイトにおいて、Ｃｏｏｋｉｅを使わずに簡単に紹介者を特定できる仕組みを提供することを目的とする。
【課題を解決するための手段】
【０００７】
上記目的を達成するため、本発明の一の観点に係る紹介管理システムは、被紹介者の端末と、被紹介者の端末とネットワークを介して接続された、紹介者と紹介者から紹介された被紹介者の情報とを関連づける管理サーバとを含む紹介管理システムであって、管理サーバは、紹介者からの紹介によって、所定のＷｅｂサイトにアクセスした被紹介者の端末に対して、アクセス取得用のデータを送信するアクセス情報送信部と、被紹介者の端末がアクセス取得用のデータを取得する際に、被紹介者の端末のＩＰアドレスを取得する取得部と、取得部により取得された被紹介者の端末のＩＰアドレスと、前記紹介した紹介者の情報とを関連付けた管理リストを記憶部に保存する登録部と、を備える。
【０００８】
上記被紹介者を紹介した紹介者に対して与える所定の報酬の情報を通知する報酬処理手段をさらに有してもよい。
【０００９】
上記アクセス取得用のデータは、１ｐｘの画像データを含む画像又は動画であってもよい。
【００１０】
上記アクセス情報取得手段は、上記紹介者と所定の関係を有するグループに登録されているユーザに対して、所定の紹介メッセージを送信するメッセージ送信手段、をさらに有してもよい。
【００１１】
本発明の一の観点にかかる紹介情報処理方法は、被紹介者の端末と、被紹介者の端末とネットワークを介して接続された、紹介者と紹介者から紹介された被紹介者の情報とを関連づける管理サーバにおける紹介者情報管理方法であって、紹介者からの紹介によって、所定のＷｅｂサイトにアクセスした被紹介者の端末に対して、アクセス取得用のデータを送信するアクセス情報送信ステップと、被紹介者の端末がアクセス取得用のデータを取得する際に、被紹介者の端末のＩＰアドレスを取得する取得ステップと、取得ステップにより取得された被紹介者の端末のＩＰアドレスと、紹介した紹介者の情報とを関連付けた管理リストを記憶部に保存する登録ステップと、を備えることを特徴とする。
【００１２】
上記被紹介者を紹介した紹介者に対して与える所定の報酬の情報を通知する処理をさらに有してもよい。
【００１３】
上記アクセス取得用のデータは、１ｐｘの画像データを含む画像又は動画であってもよい。
【００１４】
アクセス取得用のデータを送信する前に、上記紹介者と所定の関係を有するグループに登録されているユーザに対して、所定の紹介メッセージを送信する処理をさらに有してもよい。
【００１５】
本発明の一の観点にかかるコンピュータプログラムは、被紹介者の端末と、被紹介者の端末とネットワークを介して接続された、紹介者と紹介者から紹介された被紹介者の情報とを関連づける管理サーバにおいて実行される紹介者除法管理プログラムであって、紹介者からの紹介によって、所定のＷｅｂサイトにアクセスした被紹介者の端末に対して、アクセス取得用のデータを送信するアクセス情報送信機能と、被紹介者の端末がアクセス取得用のデータを取得する際に、被紹介者の端末のＩＰアドレスを取得する取得機能と、取得機能により取得された被紹介者の端末のＩＰアドレスと、紹介した紹介者の情報とを関連付けた管理リストを記憶部に保存する登録機能と、を実現させることを特徴とする。
【００１６】
上記被紹介者を紹介した紹介者に対して与える所定の報酬の情報を通知する処理をさらに実行してもよい。
【００１７】
上記アクセス取得用のデータは、１ｐｘの画像データを含む画像又は動画であってもよい。
【００１８】
アクセス取得用のデータを送信する前に、上記紹介者と所定の関係を有するグループに登録されているユーザに対して、所定の紹介メッセージを送信する処理をさらに実行させてもよい。
【発明の効果】
【００１９】
本発明によれば、インターネット上のサービスサイトにおいて、Ｃｏｏｋｉｅを使わずに簡単に紹介者・被紹介者を特定することができる。
【図面の簡単な説明】
【００２０】
【図１】実施形態１に係るシステム全体の構成を示した図。
【図２】実施形態１に係るシステムの処理の流れを示した処理フロー。
【図３】実施形態１に係る画面の一例を示した図。
【図４】実施形態１に係る画面の別の例を示した図。
【図５】実施形態２における紹介管理システムの概要を示す概略図である。
【図６】実施形態２におけるアフィリエイト管理サーバの機能構成の一例を示すブロック図である。
【図７】図７（ａ）は、広告主情報の一例を示す図であり、図７（ｂ）は、アフィリエイター情報の一例を示す図である。
【図８】実施形態２における案件情報の一例を示す図である。
【図９】図９（ａ）は、成約前の管理リスト情報の一例を示す図であり、図９（ｂ）は、成約済みの管理リスト情報の一例を示す図である。
【図１０】実施形態２における広告サーバの機能構成の一例を示すブロック図である。
【図１１】実施形態２におけるモバイル端末と、アフィリエイト管理サーバと、ＳＮＳサーバと、広告サーバとによる広告紹介管理処理の流れを示すシーケンス図である。
【図１２】実施形態２におけるＰＣ端末と、アフィリエイト管理サーバと、ＳＮＳサーバと、広告サーバと、モバイル端末とによる広告紹介管理処理の流れを示すシーケンス図である。
【図１３】実施形態２におけるＰＣ端末と、アフィリエイト管理サーバと、ＳＮＳサーバと、広告サーバと、モバイル端末とによる広告紹介管理処理の流れを示すシーケンス図である。
【図１４】実施形態１および実施形態２におけるアフィリエイト管理サーバを実現可能なコンピュータの一例を示すハードウェア構成図である。
【発明を実施するための形態】
【００２１】
（実施形態１）
本発明にかかる実施形態について以下図面を参照して説明する。
図１に本実施形態にかかる紹介管理システム１の全体構成を示す。図１において、本実施形態では、ソーシャルネットワーキングサービス（以下、単に「ＳＮＳ」という。）サーバ１と、紹介者端末２、被紹介者端末３、アフィリエイト管理サーバ４がインターネットを介して通信可能となっている。
紹介者端末２、被紹介者端末３は、インターネット通信可能なコンピュータ端末であって、所謂パーソナルコンピュータ、携帯電話端末、PDA端末など種々のコンピュータ端末により構成することができる。
【００２２】
アフィリエイト管理サーバ４は、コンピュータプログラムを実行して様々なサービスを提供することができるコンピュータである。
具体的には、アフィリエイト管理サーバ４は、取得したＩＰアドレスからユーザを判定する処理や、紹介者と被紹介者のユーザを特定するユーザ情報を記憶部に記憶する処理、それにこれに応じて紹介者が紹介した実績に応じて、紹介者に対して与えられる報酬などの管理処理を行うことができる。
【００２３】
ＳＮＳサーバ１は、コンピュータプログラムを実行して様々なサービスを提供することができるコンピュータである。（例えば、Ｌｉｎｅ(登録商標)などのサーバであってもよい。）
ＳＮＳサーバ１が行うサービスとしては、例えば、ユーザを登録する登録機能、ユーザ同士でメッセージを交換するメッセージ機能、登録したユーザを友達同士として記録する友達機能、ある特定のユーザを集めたグループを作成して情報を共有するグループ機能などを実行可能となっている。
また、ＳＮＳサーバ１は、いわゆるＢｏｔと呼ばれるコンピュータプログラムを実行して、ユーザに対して、以下に説明するアクセス取得情報送信機能、紹介者・被紹介者の特定機能、紹介者と被紹介者報とを関連付けて記憶する機能、報酬情報の処理を行う報酬処理機能などの種々の機能を実現できるようになっている。
このＢｏｔはインターネットにおける何らかのタスクを自動で繰り返し続けるプログラムであり、ＳＮＳサーバ１上で実行される。このＢｏｔは、所定の指示に応じて紹介者端末からの通知を受ける処理や、紹介者端末に対してアクセス取得データを送信したりする処理を行う。
【００２４】
次に、図２以下を参照して情報処理方法の処理の流れについて説明する。
図２において、紹介者Aは、アフィリエイト管理用サーバ４などが提供するあるサイト上で登録用のリダイレクトＵＲＬ（www.syoukaiyou/line/xxx）をクリックすると（Ｓ１）、リダイレクトされて、紹介者ＡがＳＮＳサーバにアクセスする（Ｓ２）。
紹介者Ａは、ＳＮＳサーバの登録画面のリダイレクトURLをクリックしてＳＮＳサーバのＢｏｔにて紹介ボタンを押すと紹介者Aの端末に対して画像を吐き出し、ユーザ登録を行う（Ｓ３）。
これにより、Ｂｏｔに紹介者AのユーザIDとＩＰアドレスが登録される。
【００２５】
紹介者Ａは、自己が属しているグループにアフィリエイト用のＢｏｔを招待する（Ｓ４）。
これにより、Ｂｏｔは紹介者Aの端末に対して１ｐｘの画像データ（アクセス取得用データ）を送信する（Ｓ５）。
この時の画面を図３に示す。図３に示すように、紹介者Ａの画面上には枠で囲ったような１ｐｘの画像が表示されている。この画像データはアクセス取得用のデータであるため、本実施形態で最小限の情報だけあり、文字や図形などの情報は含まれていない。この画像を受信したユーザも、何も表示されていないため、特に気にすることはない。
なお、もちろん、このアクセス取得用のデータは、上述の例のように１ｐｘの画像データでなくとも、文字データ、１ｐｘ以上の画像データ、動画データなどのデータとしてもよい。
そして、紹介者Ａがこの画像を閲覧することで、紹介者Ａ端末はそのＩＰアドレスをＳＮＳサーバ１（Ｂｏｔ）へ送信する（Ｓ６）。
ＳＮＳサーバ１（Ｂｏｔ）は、紹介者Ａ端末から受信したデータをアフィリエイト管理サーバ４に通知する（Ｓ７）。
アフィリエイト管理サーバ４は紹介者ＡのＩＰアドレスを判定し（Ｓ８）、紹介者Ａのユーザ情報を記憶する（Ｓ９）。
【００２６】
また、アフィリエイト管理サーバ４は、グループ内のユーザのＩＰアドレスを収取して記憶する（Ｓ１０）。
この際、グループに属する他のユーザ（被紹介者に相当）に対して、ユーザが登録しているＢｏｔを自身のグループに登録するようメッセージを送信する処理を実行するようにしてもよい。
【００２７】
そして、紹介者と同じグループに属する被紹介者ＢがＢｏｔを自身のグループに追加すると（Ｓ１１）、ＳＮＳサーバ１のＢｏｔは、被紹介者Bに対して１ｐｘの画像データ（アクセス取得用データ）を送信する（Ｓ１２）。
この時も、上述の場合と同様に、図４に示すように、被紹介者Bの画面上には枠で囲ったような１ｐｘの画像が表示されている。この画像データはアクセス取得用のデータであるため、本実施形態で最小限の情報だけあり、文字や図形などの情報は含まれていない。この画像を受信したユーザも、何も表示されていないため、特に気にすることはない。
なお、もちろん、この場合もアクセス取得用のデータは、上述の例のように１ｐｘの画像データでなくとも、文字データ、１ｐｘ以上の画像データ、動画データなどのデータとしてもよい。
そして、被紹介者Bがこの画像を閲覧することで、被紹介者Ｂ端末はそのＩＰアドレスをＳＮＳサーバ１（Ｂｏｔ）へ送信する（Ｓ１３）。
ＳＮＳサーバ１のＢｏｔは、被紹介者Ｂ端末から受信したデータをアフィリエイト管理サーバ４に通知する（Ｓ１４）。
【００２８】
アフィリエイト管理サーバ４は、グループ内のＩＰアドレスと照合し（Ｓ１５）、紹介者Ａと被紹介者Ｂを関連付けて記憶する（Ｓ１６）。
そして、所定のタイミングで、アフィリエイト管理サーバ４は、ＳＮＳサーバ（Ｂｏｔ）１に対して、この紹介者Ａと被紹介者Ｂの関連付けなどのユーザの関連付け情報を送信するよう指示し（Ｓ１７）、この指示に基づいて、ＳＮＳサーバ（Ｂｏｔ）１は、この紹介者Ａと被紹介者Ｂの関連付けなどのユーザの関連付け情報を送信する（Ｓ１８）。この送信は、任意のタイミングでアフィリエイト管理サーバ４が行ってもよい。
【００２９】
また、アフィリエイト管理サーバ４は、取得したユーザ関連付け情報から、紹介者Ａが紹介したユーザ（被紹介者Ｂ）の数などに応じて、紹介者Ａに対して成果としてのポイントなどを付与して（Ｓ１９）、一連の処理を終了する。
【００３０】
このように、本実施形態によれば、Ｃｏｏｋｉｅを使わなくとも、アクセス取得用のデータである１ｐｘ画像データをユーザが見ることで、そのＩＰアドレスを取得して、ユーザを判別することができる。
これにより、紹介者と被紹介者を関連付けて記憶・管理することができ、紹介者に対して紹介という成果に対して所定の報酬を与えることができる。
また、アクセス取得用のデータを１ｐｘ画像データとしたことから、その画像をもらったユーザ側も特に気にすることもないし、また通信等に負担をかけることもない。
【００３１】
なお、上述の実施形態では、アクセス取得用データとして、１ｐｘの画像を利用する例について説明したが、画像データに限られるものではなく、どのようなデータであってもよい。
【００３２】
（実施形態２）
図５は、実施形態２における紹介管理システムの概要を示す概略図である。図５に示すように、紹介管理システム２は、アフィリエイト管理サーバ１００と、広告サーバ２００と、モバイル端末３００ａと、端末（ＰＣ（Ｐｅｒｓｏｎａｌ  Ｃｏｍｐｕｔｅｒ）３００ｂと、ＳＮＳ（Ｓｏｃｉａｌ  Ｎｅｔｗｏｒｋｉｎｇ  Ｓｅｒｖｉｃｅ）サーバ４００と、ネットワーク１０を介して相互通信可能に接続されている。広告サーバ２００は、広告依頼者からの要求に応じて商品などの広告情報を掲載したホームページをＷｅｂ上で管理するサーバである。なお、図５では、広告サーバ２００と、モバイル端末３００ａと、ＰＣ端末３００ｂと、ＳＮＳサーバ４００を各１台ずつ図示するが、台数はこれに限定されない。
【００３３】
図６は、実施形態２におけるアフィリエイト管理サーバ１００の機能構成の一例を示すブロック図である。以下、図６を用いてアフィリエイト管理サーバ１００の機能構成について説明する。
【００３４】
図６に示すように、アフィリエイト管理サーバ１００は、制御部１０１と、記憶部１１０と、通信制御インターフェース部１２０とを備えている。
【００３５】
記憶部１１０は、広告主情報データベース１１１と、案件管理情報データベース１１２とを備える。
【００３６】
広告主情報データベース１１１は、広告ソース情報を格納する。ここで、広告ソース情報とは、広告主情報にアフィリエイター情報を関連付けた情報である。また、広告主情報とは、商品の広告主に関する情報であって、広告主のアカウントに、案件名と、当該商品の広告サイトとなるホームページアドレス（アフィリエイトリンク）が対応付けられている。なお、案件とは、広告対象となる商品やサービスなどである。図７（ａ）は、広告主情報の一例を示す図である。図７（ａ）に示すように、アカウント「Ａ００１」に、案件名「金融商材」と、ＨＰ（ｈｏｍｅｐａｇｅ）アドレス１「ｈｔｔｐｓ：//ｘｘｘ」〜ＨＰアドレス３「ｈｔｔｐｓ：//ｚｚｚ」とが対応付けられている。また、アフィリエイター情報とは、アフィリエイター、すなわち商品の紹介者に関する情報であって、アフィリエイター名に、氏名と、メールアドレスと、ＩＰアドレスと、口座情報とが対応付けられている。図７（ｂ）は、アフィリエイター情報の一例を示す図である。図７（ｂ）に示すように、アフィリエイター名「Ｆｕｊｉｉ１」に、氏名「藤井〇〇」と、メールアドレス「ｆｕｊｉｔａｔｓｕ＠××」と、ＩＰアドレス「１２３．４５６．７８９．２３」と、口座情報「三井銀行〇〇支店××」とが対応付けられている。
【００３７】
案件管理情報データベース１１２は、案件情報と、案件表示情報と、管理リスト情報とを格納する。ここで、案件情報とは、アカウントに、案件と、流入元と、紹介者とを対応付けた紹介対象となる案件に関する情報である。図８は、実施形態２における案件情報の一例を示す図である。図８に示すように、案件情報には、アカウント「Ａ００１」と、案件名「金融商材」と、流入元「ｈｔｔｐｓ：//ｘｘｘ」と、紹介者「Ｆｕｊｉｉ１」とが含まれる。なお、流入元とは、被紹介者により広告にアクセスされたＨＰアドレスのことである。また、案件表示情報とは、案件のダウンロード元となるリンク情報を含む画像または動画の表示情報であり、案件ごとに生成されるアクセス取得用のデータである。また、管理リスト情報とは、紹介者に、案件名と、被紹介者と、ＩＰアドレスと、流入元と、報酬額と、案件紹介の成約日時と、有効期限と、案件紹介の成約状態とが対応付けられた情報であり、案件の紹介により成約する報酬に関する情報である。図９（ａ）は、成約前の管理リスト情報の一例を示す図である。図９（ａ）では、紹介者「Ｆｕｊｉｉ１」に、案件名「金融商材」と、被紹介者「空欄」と、ＩＰアドレス「１２３．４５６．７８９．２３」と、流入元「ｈｔｔｐｓ：//ｘｘｘ」と、報酬額「空欄」と、成約日時「空欄」と、有効期限「２０１７／１２／１３」と、成約状態「未成約」とが対応付けられている。また、図９（ｂ）は、成約済みの管理リスト情報の一例を示す図である。紹介者「Ｆｕｊｉｉ１」に、案件名「金融商材」と、被紹介者「空欄」と、ＩＰアドレス「１２３．４５６．７８９．２３」と、流入元「ｈｔｔｐｓ：//ｘｘｘ」と、報酬額「１０００円」と、成約日時「２０１７／１２／１３」と、有効期限「２０１７／１２／１３」と、成約状態「未成約」とが対応付けられている。このように、被紹介者により案件の広告先となるＨＰが閲覧された場合に、図９（ａ）に示した未成約の管理リスト情報のうち、被紹介者と、報酬額と、成約日時（閲覧日時）と、成約状態「成約済み」が更新されることとなる。
【００３８】
次に、制御部１０１は、取得部１０２と、登録部１０３と、選択部１０４と、照合部１０５と、報酬処理部１０６と、送受信部１０７とを備える。なお、送受信部１０７は、本発明におけるアクセス情報送信部と、メッセージ送信部と、ＩＰ送信部に相当する。
【００３９】
取得部１０２は、アフィリエイトリンクにモバイル端末３００ａやＰＣ端末３００ｂなどの外部端末によりアクセスされた場合に、アクセスした端末からＩＰアドレスを取得し、アフィリエイトリンクから案件情報を取得する。ここで、アフィリエイトリンクとは、アフィリエイト管理サーバ１００および広告サーバ２００により管理される案件の広告が掲載されているホームページアドレスのことである。なお、案件情報には、アカウント、案件名、流入元、紹介者の情報が含まれる。
【００４０】
登録部１０３は、取得部１０２によりアフィリエイトリンクから取得された案件情報に、端末から取得されたＩＰアドレスを付加した案件情報を案件管理情報データベース１１２の管理リスト情報に登録する。また、登録部１０３は、照合部１０５によるＳＮＳサーバ４００から受信した友達登録の完了通知に含まれる案件情報におけるＩＰアドレスと、案件名とが管理リスト情報のデータと照合された場合に、管理リストのデータの被紹介者、報酬、成約日時、成約状態を更新する。さらに、同一のＩＰアドレスが重複して管理リストに登録されていたことにより照合部１０５により不照合と判定された場合には、同一のＩＰアドレスによる複数の管理リストにおける登録が広告サーバ２００の設定において許可されている場合に、登録部１０３は、データの被紹介者、報酬、成約日時を設定した上で、成約状態を成約済みとして登録する。
【００４１】
照合部１０５は、送受信部１０７によりＳＮＳサーバ４００から友達登録の完了通知を受信した場合に、友達登録の完了通知に含まれる案件情報からアカウントと、案件名と、ＩＰアドレスとを取得し、取得したアカウントと、案件名と、ＩＰアドレスが該当するレコードを管理リスト情報から検索し、検索したレコードにおいて有効期限内、かつ、成約状態が未成約であるデータが存在するかを確認する。照合部１０５は、有効期限内、かつ、成約状態が未成約であるデータの存在を確認した場合に、データを照合と判定し、確認できなかった場合に、不照合と判定する。なお、友達登録の完了通知とは、ある端末を、ＳＮＳサーバ４００が管理するＳＮＳを利用したメッセージのやり取りの対象とする登録が完了した旨の通知のことである。
【００４２】
選択部１０４は、案件管理情報データベース１１２を参照し、対象となる案件に対応する案件表示情報を選択する。例えば、案件が金融商材である場合には、金融商材のダウンロード画面のリンク情報を含む１ｐｘ画像、ＱＲコード（登録商標）、動画コンテンツなどの表示情報である。
【００４３】
報酬処理部１０６は、送受信部１０７によりＳＮＳサーバ４００から友達登録の通知を受信した場合であって、照合部１０５により一致するデータが検索された場合に、管理リスト情報の被紹介者と、報酬額と、案件紹介の成約日時（閲覧日時）と、案件紹介の成約状態を更新する。すなわち、報酬処理部１０６は、案件紹介の成約状態を成約に更新する。また、報酬処理部１０６は、所定の報酬支払タイミングにおいて、管理リスト情報の報酬額に応じて、アフィリエイターの口座情報が示す口座に送金する。
【００４４】
送受信部１０７は、通信制御インターフェース部１２０を介して、広告サーバ２００、モバイル端末３００ａ、ＰＣ端末３００ｂ、ＳＮＳサーバ４００などの外部装置と各種情報を送受信する。例えば、送受信部１０７はモバイル端末３００ａからアフィリエイトリンクにアクセスされた場合に、取得部１０２により取得されたＩＰアドレスを付加した案件情報を含めて広告サーバ２００に送信したり、広告サーバ２００からＳＮＳサーバ４００を介して友達登録情報を受信したりする。
【００４５】
図１０は、実施形態２における広告サーバ２００の機能構成の一例を示すブロック図である。以下、図１０を用いて広告サーバ２００の機能構成について説明する。
【００４６】
図１０に示すように、広告サーバ２００は、制御部２０１と、記憶部２１０と、通信制御インターフェース部２２０とを備えている。
【００４７】
記憶部２１０は、管理情報データベース２１１を備える。管理情報データベース２１１は、広告サイトとなるホームページアドレスや、友達登録情報や、友達リスト情報などを格納する。ここで、友達登録情報とは、ＳＮＳサーバ４００が管理するＳＮＳを利用したメッセージのやり取りや、所定の情報を共有する相手方端末として友達登録された情報であり、具体的には、広告のアフィリエイターである紹介者や被紹介者のモバイル端末のＩＰアドレスである。また、友達リスト情報とは、広告サーバ２００における友達登録情報のバックアップ用データ、または、ＰＣ端末３００ｂによりアフィリエイトリンクにアクセスされた場合に、アクセス記録となるデータである。
【００４８】
次に、制御部２０１は、管理部２０２と、更新部２０３と、送受信部２０４とを備える。
【００４９】
送受信部２０４は、通信制御インターフェース部２２０を介して、アフィリエイト管理サーバ１００、モバイル端末３００ａ、ＰＣ端末３００ｂ、ＳＮＳサーバ４００などの外部装置と各種情報を送受信する。例えば、送受信部２０４は、アフィリエイト管理サーバ１００から送信された案件情報を受信する。
【００５０】
管理部２０２は、広告を掲載するホームページアドレスや、ホームページにおける広告の表示情報、友達登録情報などを管理する。
【００５１】
更新部２０３は、送受信部２０４によりアフィリエイト管理サーバ１００から受信した案件情報から、ＩＰアドレスを取得し、取得したＩＰアドレスを管理情報データベース２１１に格納されている友達登録情報に追加し、登録情報を更新する。また、更新部２０３は、友達登録情報を更新した場合、更新した友達登録情報を送受信部２０４によりＳＮＳサーバ４００に送信する。
【００５２】
次に、ＳＮＳサーバ４００の機能構成については、アフィリエイト管理サーバ１００や広告サーバ２００と同様に記憶部（図示せず）、通信制御インターフェース部（図示せず）、制御部（図示せず）を備える。ＳＮＳサーバ４００の記憶部は、友達登録情報を記憶する。なお、友達登録情報は、ＳＮＳサーバ４００に登録されている全ての端末ごとに対応付けて記憶部に格納されている。また、ＳＮＳサーバ４００の制御部は、広告サーバ２００やモバイル端末３００ａなどの外部端末から更新された友達登録情報を受信した場合、記憶部に格納している友達登録情報を更新するとともに、友達登録情報としてグループ化されている端末に、更新後の友達登録情報を送信する。例えば、広告サーバ２００が、アフィリエイト管理サーバ１００と情報共有の相手としてグループ化されている場合、ＳＮＳサーバ４００が広告サーバ２００から受信した友達登録情報をアフィリエイト管理サーバ１００に送信する。
【００５３】
次に、紹介管理システム２によるモバイル端末３００ａに対する広告紹介管理処理について説明する。図１１は、モバイル端末３００ａと、アフィリエイト管理サーバ１００と、ＳＮＳサーバ４００と、広告サーバ２００とによる広告紹介管理処理の流れを示すシーケンス図である。
【００５４】
モバイル端末３００ａは、アフィリエイトリンクにアクセスする（ステップＳ２１）。アフィリエイト管理サーバ１００の取得部１０２は、モバイル端末３００ａのＩＰアドレスを取得する（ステップＳ２２）。アフィリエイト管理サーバ１００の取得部１０２は、案件情報を取得する（ステップＳ２３）。具体的には、アフィリエイト管理サーバ１００の取得部１０２は、ステップＳ２１においてアクセスされたアフィリエイトリンクから案件情報である、アカウント情報と、案件情報と、流入元と、紹介者情報とを取得する。アフィリエイト管理サーバ１００の登録部１０３は、案件情報をユーザリストに登録する（ステップＳ２４）。具体的には、アフィリエイト管理サーバ１００の登録部１０３は、ステップＳ２２において取得部１０２により取得したＩＰを案件情報に含めて登録する。
【００５５】
アフィリエイト管理サーバ１００の送受信部１０７は、広告サーバ２００にリダイレクトする（ステップＳ２５）。ここで、アフィリエイト管理サーバ１００の送受信部１０７は、ステップＳ２４においてユーザリストに登録した案件情報を付与してリダイレクトする。広告サーバ２００の更新部２０３は、更新した友達登録情報をＳＮＳサーバ４００に送信する（ステップＳ２６）。具体的には、ＳＮＳサーバ４００の所定の友達登録画面において、ステップＳ２５で受信した案件情報に含まれるＩＰアドレスを友達登録情報に追加することにより、モバイル端末３００ａを友達登録する。
【００５６】
ＳＮＳサーバ４００は、モバイル端末３００ａに友達登録の表示情報を送信する（ステップＳ２７）。例えば、友達登録の表示情報として、「広告サーバ２００を登録しますか？」というメッセージとともに承認または拒否を選択可能なアイコンの表示情報などが送信される。モバイル端末３００ａは、ステップＳ２７において受信した友達登録の表示情報を読み込み、承認を示すアイコン押下などにより友達登録を完了する（ステップＳ２８）。ＳＮＳサーバ４００は、アフィリエイト管理サーバ１００に、モバイル端末３００ａによる友達登録の完了通知を送信する（ステップＳ２９）。例えば、友達登録の完了通知として、ＳＮＳサーバ４００からアフィリエイト管理サーバ１００に、ＩＰアドレスを含む案件情報が付与された「広告サーバ２００がモバイル端末３００ａと友達になりました。」などの通知情報が送信される。
【００５７】
アフィリエイト管理サーバ１００の選択部１０４は、案件のダウンロード元となるリンク情報を含む画像または動画の表示情報を生成する（ステップＳ３０）。例えば、アフィリエイト管理サーバ１００の選択部１０４は、１ｐｘ画像やＱＲコードなどを生成する。アフィリエイト管理サーバ１００の照合部１０５は、ステップＳ２９において友達登録の完了通知に含まれる案件情報から、ＩＰアドレスを取得し、取得したＩＰアドレスが案件管理情報データベース１１２に格納されている管理リストに一致するＩＰアドレスを検索する（ステップＳ３１）。すなわち、アフィリエイト管理サーバ１００の照合部１０５は、管理リストから当該ＩＰアドレスと案件名を照合し、照合したＩＰアドレスと案件名が有効期限内かつ、成約状態が未成約であるデータを検索する。ここで、アフィリエイト管理サーバ１００の登録部１０３は、照合部１０５により該当するデータが検索された場合に、当該データの被紹介者、報酬、成約日時、成約状態を更新する。
【００５８】
アフィリエイト管理サーバ１００の送受信部１０７は、ステップＳ３１において、当該ＩＰアドレスを照合した場合に、案件のダウンロード元となるリンク情報を含む画像又は動画の表示情報をＳＮＳサーバ４００に送信する（ステップＳ３２）。ＳＮＳサーバ４００は、ステップＳ３２において受信した画像または動画の表示情報をモバイル端末３００ａに送信する（ステップＳ３３）。モバイル端末３００ａは、ステップＳ３３において受信した動画または画像の表示情報を表示部（図示せず）に表示する（ステップＳ３４）。
【００５９】
次に、ＰＣ端末３００ｂからアクセスされた場合における、紹介管理システム２によるモバイル端末３００ａに対する広告紹介管理処理について説明する。図１１および図１２は、ＰＣ端末３００ｂと、アフィリエイト管理サーバ１００と、ＳＮＳサーバ４００と、広告サーバ２００と、モバイル端末３００ａとによる広告紹介管理処理の流れを示すシーケンス図である。
【００６０】
ＰＣ端末３００ｂは、アフィリエイトリンクにアクセスする（ステップＳ４１）。アフィリエイト管理サーバ１００の取得部１０２は、ＰＣ端末３００ｂのＩＰアドレスを取得する（ステップＳ４２）。アフィリエイト管理サーバ１００の取得部１０２は、アフィリエイトリンクから案件情報を取得する（ステップＳ２３）。具体的には、アフィリエイト管理サーバ１００の取得部１０２は、ステップＳ４１においてアクセスされたアフィリエイトリンクから案件情報である、アカウント情報と、案件情報と、流入元と、紹介者情報とを取得する。アフィリエイト管理サーバ１００の登録部１０３は、案件情報をユーザリストに登録する（ステップＳ４４）。具体的には、アフィリエイト管理サーバ１００の登録部１０３は、ステップＳ４２において取得部１０２により取得したＩＰを案件情報に含めて登録する。
【００６１】
アフィリエイト管理サーバ１００の送受信部１０７は、広告サーバ２００にリダイレクトする（ステップＳ２５）。ここで、アフィリエイト管理サーバ１００の送受信部１０７は、ステップＳ２４においてユーザリストに登録した案件情報を付与してリダイレクトする。広告サーバ２００の更新部２０３は、友達登録情報を更新する（ステップＳ４６）。具体的には、ＳＮＳサーバ４００の所定の友達登録画面において、ステップＳ４５で受信した案件情報に含まれるＩＰアドレスを友達登録情報に追加し、友達登録情報を更新する。広告サーバ２００の送受信部２０４は、更新した友達登録情報をＳＮＳサーバ４００に送信する（ステップＳ４７）。
【００６２】
アフィリエイト管理サーバ１００の照合部１０５は、ステップＳ４７において受信した友達登録情報から案件情報を取得し、取得した案件情報を管理リストのデータと照合する（ステップＳ４８）。アフィリエイト管理サーバ１００の送受信部１０７は、ステップＳ４８において照合した場合に、ＱＲコードをモバイル端末３００ａに送信する（ステップＳ４９）。ここで送信されるＱＲコードには、ステップＳ２７においてアフィリエイト管理サーバ１００が受信した案件情報が付加されたアフィリエイトリンクを示す情報が含まれる。なお、ステップＳ４９のようにアフィリエイト管理サーバ１００の送受信部１０７がモバイル端末３００ａにＱＲコードを送信する場合は、ステップＳ２１において、ＰＣ端末３００ｂがモバイル端末３００ａのメールアドレスなどをあらかじめアフィリエイトリンクからアフィリエイト管理サーバ１００に送信することが前提となる。一方、ＰＣ端末３００ｂがモバイル端末３００ａのメールアドレスなどをアフィリエイト管理サーバ１００にあらかじめ送信しない場合は、アフィリエイト管理サーバ１００の送受信部１０７は、ＰＣ端末３００ｂにＱＲコードを送信し、ユーザ操作によりモバイル端末３００ｂから当該ＱＲコードの読み込み操作を行うこととなる。モバイル端末３００ａは、ステップＳ４９において受信したＱＲコードを読み込み、アフィリエイトリンクにアクセスする（ステップＳ５０）。
【００６３】
ステップＳ５１〜ステップＳ６２までの処理は、図１１におけるステップＳ２２〜ステップＳ３４までの処理と同様であるため、説明を省略する。
【００６４】
このように、実施形態２における紹介管理システム２によれば、アフィリエイトリンクからアフィリエイターである紹介者および案件を特定し、当該アフィリエイトリンクにアクセスした端末のＩＰアドレスから被紹介者を特定するので、インターネット上のサービスサイトにおいて、Ｃｏｏｋｉｅを使わずに簡単に紹介者を特定できる仕組みを提供することができる。また、アフィリエイト管理サーバ１００は、ＳＮＳサーバ４００から友達登録の完了通知を受信した場合に、当該友達登録の完了通知に含まれるデータを、すでに登録した管理リストのデータと照合するので、広告を閲覧する意思のある端末の紹介だけをアフィリエイターによる紹介として管理するため、広告依頼主の要求に応じて確実に商品を広告することができる。
【００６５】
図１３は、実施形態１および実施形態２におけるアフィリエイト管理サーバ４、１００を実現可能なコンピュータ２０の一例を示すハードウェア構成図である。図１３に示すように、コンピュータ２０は、ＣＰＵ（Central  Processing  Unit）２１、ＲＡＭ（Random  Access  Memory）２２、ＲＯＭ（Read  Only  Memory）２３、ＨＤＤ（Hard  Disk  Drive）２４、通信インターフェース（Ｉ／Ｆ）２５、入出力インターフェース（Ｉ／Ｆ）２６、およびメディアインターフェース（Ｉ／Ｆ）２７を備える。
【００６６】
ＣＰＵ２１は、ＲＯＭ２３またはＨＤＤ２４に格納されたプログラムにより動作し、各部の制御を行う。ＲＯＭ２３は、コンピュータ２０の起動時にＣＰＵ２１によって実行されるブートプログラムや、コンピュータ２０のハードウェアに依存するプログラム等を格納する。
【００６７】
ＨＤＤ２４は、ＣＰＵ２１によって実行されるプログラムおよび当該プログラムによって使用されるデータ等を格納する。通信インターフェース２５は、通信回線を介して外部機器から受信したデータをＣＰＵ２１に送り、ＣＰＵ２１が生成したデータを、通信回線を介して外部機器に送信する。
【００６８】
ＣＰＵ２１は、入出力インターフェース２６を介して、ディスプレイやプリンタ等の出力装置、および、キーボードやマウス等の入力装置を制御する。ＣＰＵ２１は、入出力インターフェース２６を介して、入力装置からデータを取得する。また、ＣＰＵ２１は、生成したデータを、入出力インターフェース２６を介して出力装置へ出力する。
【００６９】
メディアインターフェース２７は、記憶媒体２８に格納されたプログラムまたはデータを読み取り、ＲＡＭ２２を介してＣＰＵ２１に提供する。ＣＰＵ２１は、当該プログラムを、メディアインターフェース２７を介して記憶媒体２８からＲＡＭ２２上にロードし、ロードしたプログラムを実行する。記憶媒体２８は、例えばＤＶＤ（Digital  Versatile  Disc）等の光学記憶媒体、磁気記憶媒体、または半導体メモリ等である。
【００７０】
コンピュータ２０が本実施形態におけるアフィリエイト管理サーバ１００として機能する場合、コンピュータ２０のＣＰＵ２１は、ＲＡＭ２２上にロードされたプログラムを実行することにより、取得部１０２、登録部１０３、選択部１０４、照合部１０５、報酬処理部１０６、送受信部１０７の各機能を実現する。また、ＨＤＤ２４には、広告主情報データベース１１１、案件管理情報データベース１１２内のデータが格納される。
【００７１】
取引管理プログラムは、インストール可能な形式又は実行可能な形式のファイルでＣＤ−ＲＯＭ、ＣＤ−Ｒ、メモリカード、ＤＶＤ（Digital  Versatile  Disk）、フレキシブルディスク（ＦＤ）等のコンピュータで読み取り可能な記憶媒体に記憶されて提供される。コンピュータ２０のＣＰＵ２１は、これらのプログラムを、メディアインターフェース２７を介して上記の記憶媒体から読み取って実行するが、他の例として、外部装置から、通信回線を介してこれらのプログラムを取得してもよい。
【００７２】
なお、取引管理プログラムは、例えば、ActionScript、JavaScript（登録商標）、Python、Rubyなどのスクリプト言語、C言語、C＋＋、C＃、Objective-C、Swift、Java（登録商標）などのコンパイラ言語などを用いて実装できる。
【符号の説明】
【００７３】
１      ＳＮＳサーバ（Ｂｏｔ）
２      紹介者端末
３      被紹介者端末
４      アフィリエイト管理端末
１０    ネットワーク
１００  アフィリエイト管理サーバ
１０１  制御部
１０２  取得部
１０３  登録部
１０４  選択部
１０５  照合部
１０６  報酬処理部
１０７  送受信部
１１０  記憶部
１１１  広告主情報データベース
１１２  案件管理情報データベース
１２０  通信制御インターフェース部
２００  広告サーバ
２０１  制御部
２０２  管理部
２０３  更新部
２０４  送受信部
２１０  記憶部
２２０  通信制御インターフェース部
３００ａ  モバイル端末
３００ｂ  ＰＣ端末
４００  ＳＮＳサーバ
【図１】
2018190387.tif 000003
【図２】
2018190387.tif 000004
【図３】
2018190387.tif 000005
【図４】
2018190387.tif 000006
【図５】
2018190387.tif 000007
【図６】
2018190387.tif 000008
【図７】
2018190387.tif 000009
【図８】
2018190387.tif 000010
【図９】
2018190387.tif 000011
【図１０】
2018190387.tif 000012
【図１１】
2018190387.tif 000013
【図１２】
2018190387.tif 000014
【図１３】
2018190387.tif 000015
【図１４】
2018190387.tif 000016